【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
円形のダイヤモンド砥粒鋸刃であって、
実質的に中央の孔を有する円形の金属製本体であって、前記鋸刃が前記孔を通して回転可能な駆動軸に装着される、金属製本体、
前記本体の外周に沿って間隔をあけて配置されている、複数の切刃、及び
前記切刃の間に間隔をあけて配置されている、複数の刃溝、
を有し、且つ
前記刃溝が、前記本体の外周から半径方向内側に延びており、且つ
前記刃溝が、文字、数字、図形、及びこれらの組合せからなる群から選択される目じるしの形態の寸法及び形状にされている、
円形のダイヤモンド研削鋸刃。
【請求項２】
長手方向に駆動して工作物から材料を除去するように構成されている工具であって、
駆動機構に装着可能な本体、
前記本体の外周に沿って間隔をあけて配置されている複数の切刃、及び
前記切刃の間に配置されている少なくとも１つの刃溝、
を有し、
前記刃溝が、前記外周から内方に延びており、且つ
前記刃溝が、文字、数字、図形、及びこれらの組合せからなる群から選択される目じるしの形態の寸法及び形状にされている、
長手方向に駆動して工作物から材料を除去するようにされている工具。
【請求項３】
作業時に中心軸の周りを回転するように構成された回転式材料除去工具を構成している、請求項２に記載の工具。
【請求項４】
切削、研磨、及びこれらの組合せからなる群から選択される作業用に構成されている、請求項２に記載の工具。
【請求項５】
金属製コアのダイヤモンド研削切断工具に表示を付与する方法であって、文字、数字、図形、及びこれらの組合せからなる群より選択される複数の記号を、前記金属製コアから切除して、前記工具に目に見える表示を付与し、且つ前記工具の操作中における前記金属製コアの周に沿った応力の除去を可能にすることを含む、金属製コアのダイヤモンド砥粒切削工具に表示を付与する方法。
【請求項６】
（ａ）実質的に中央の孔を有する実質的に円形の本体を提供すること、ここで前記本体は、前記孔を通して回転可能な駆動軸に装着できる、
（ｂ）前記本体の外周に沿って複数の切刃を提供すること、
（ｃ）前記孔に向かって前記外周から延びる少なくとも１つの刃溝を、前記本体上に提供すること、及び
（ｄ）前記刃溝を、英数字及びデザインの記号からなる群から選択される目じるしの形態にすること、
を含む、永久的な目じるしを有する円形研削切断工具の製造方法。
【請求項７】
前記工程（ｂ）が、前記本体の外周に沿って研磨セグメント群を提供することを含む、請求項６に記載の方法。
【請求項８】
前記工程（ｃ）が、前記本体に複数の刃溝を提供することを含む、請求項６に記載の方法。
【請求項９】
請求項６に記載の方法を含み、前記刃溝を、前記工具の販売業者に関連した目じるしとして構成する、円形研削切断工具のブランド表示方法。
【請求項１０】
請求項６に記載の方法を含み、作業中に好ましい方向に回転するように前記工具を切削装置に正しく装着させる目に見える表示を提供するようにして、前記１又は複数の刃溝を構成する、金属製コアのダイヤモンド研削切断工具の安全性を高める方法。
【請求項１１】
請求項６に記載の方法を含む、機械的応力を開放させ、且つ工具の製品供給元を表示するための方法。
【手続補正２】
【補正対象書類名】明細書
【補正対象項目名】００２８
【補正方法】変更
【補正の内容】
【００２８】
本明細書中では本発明をその実施形態の特定の例について述べてきた。特許請求の範囲に示すように、本発明のより広い精神及び範囲から逸脱することなくこれに対して様々な修正及び変更を行えることは明らかであろう。従ってこの明細書及び図面は、限定的ではなく例示的な意味で見られるべきである。
本発明の実施態様としては下記の実施態様を挙げることができる：
（実施態様１）
円形のダイヤモンド砥粒鋸刃であって、
実質的に中央の孔を有する円形の金属製本体であって、前記鋸刃が前記孔を通して回転可能な駆動軸に装着される、金属製本体、
前記本体の外周に沿って間隔をあけて配置されている、複数の切刃、及び
前記切刃の間に間隔をあけて配置されている、複数の刃溝、
を有し、且つ
前記刃溝が、前記本体の外周から半径方向内側に延びており、且つ
前記刃溝が、文字、数字、図形、及びこれらの組合せからなる群から選択される目じるしの形態の寸法及び形状にされている、
円形のダイヤモンド研削鋸刃。
（実施態様２）
長手方向に駆動して工作物から材料を除去するように構成されている工具であって、
駆動機構に装着可能な本体、
前記本体の外周に沿って間隔をあけて配置されている複数の切刃、及び
前記切刃の間に配置されている少なくとも１つの刃溝、
を有し、
前記刃溝が、前記外周から内方に延びており、且つ
前記刃溝が、文字、数字、図形、及びこれらの組合せからなる群から選択される目じるしの形態の寸法及び形状にされている、
長手方向に駆動して工作物から材料を除去するようにされている工具。
（実施態様３）
作業時に中心軸の周りを回転するように構成された回転式材料除去工具を構成している、実施態様２に記載の工具。
（実施態様４）
切削、研磨、及びこれらの組合せからなる群から選択される作業用に構成されている、実施態様２に記載の工具。
（実施態様５）
鋸刃を備えている、実施態様４に記載の工具。
（実施態様６）
前記切刃が複数の歯を備えている、実施態様５に記載の工具。
（実施態様７）
研削鋸刃を備えている、実施態様５に記載の工具。
（実施態様８）
前記切刃が、前記周上に配置された砥粒を有する、実施態様７に記載の工具。
（実施態様９）
前記砥粒が、アルミナ；シリカ；炭化ケイ素；ジルコニア−アルミナ；ＭｇＯ、ＣｏＯ、ＴｉＯ2、Ｖ2Ｏ3、Ｃｒ2Ｏ3からなる群から選択される少なくとも１種類のセラミック酸化物を有するアルミナの合金；セリア；亜酸化ホウ素；ガーネット；エメリー；ダイヤモンド；立方晶窒化ホウ素（ＣＢＮ）；これらの組合せからなる群から選択される、実施態様８に記載の工具。
（実施態様１０）
前記駆動機構が駆動軸を備えている、実施態様２に記載の工具。
（実施態様１１）
前記切刃の間に散在している複数の刃溝を備えている、実施態様２に記載の工具。
（実施態様１２）
前記本体が金属製である、実施態様２に記載の工具。
（実施態様１３）
前記刃溝が、前記工具の操作中に前記コアの応力を開放する寸法及び形状にされている、実施態様２に記載の工具。
（実施態様１４）
前記刃溝が、破片の除去を容易にする寸法及び形状にされている、実施態様２に記載の工具。
（実施態様１５）
前記目じるしが、前記工具の製品供給元を示すように構成されている、実施態様２に記載の工具。
（実施態様１６）
金属製コアのダイヤモンド研削切断工具に表示を付与する方法であって、文字、数字、図形、及びこれらの組合せからなる群より選択される複数の記号を、前記金属製コアから切除して、前記工具に目に見える表示を付与し、且つ前記工具の操作中における前記金属製コアの周に沿った応力の除去を可能にすることを含む、金属製コアのダイヤモンド砥粒切削工具に表示を付与する方法。
（実施態様１７）
（ａ）実質的に中央の孔を有する実質的に円形の本体を提供すること、ここで前記本体は、前記孔を通して回転可能な駆動軸に装着できる、
（ｂ）前記本体の外周に沿って複数の切刃を提供すること、
（ｃ）前記孔に向かって前記外周から延びる少なくとも１つの刃溝を、前記本体上に提供すること、及び
（ｄ）前記刃溝を、英数字及びデザインの記号からなる群から選択される目じるしの形態にすること、
を含む、永久的な目じるしを有する円形研削切断工具の製造方法。
（実施態様１８）
前記工程（ｂ）が、前記本体の外周に沿って研磨セグメント群を提供することを含む、実施態様１７に記載の方法。
（実施態様１９）
前記工程（ｂ）が、前記本体の外周上に砥粒を提供することを含む、実施態様１８に記載の方法。
（実施態様２０）
前記工程（ｃ）が、前記本体に複数の刃溝を提供することを含む、実施態様１７に記載の方法。
（実施態様２１）
前記工程（ｄ）が、前記刃溝を、前記工具の製品供給元を表す目じるしを有する寸法及び形状に加工することを含む、実施態様２０に記載の方法。
（実施態様２２）
前記工程（ｄ）が、前記目じるしを、前記工具の好ましい操作方向の目に見える表示を提供する寸法、形状及び向きに加工することを含む、実施態様２０に記載の方法。
（実施態様２３）
前記操作方向が回転方向を含む、実施態様２２に記載の方法。
（実施態様２４）
実施態様１７に記載の方法を含み、前記刃溝を、前記工具の販売業者に関連した目じるしとして構成する、円形研削切断工具のブランド表示方法。
（実施態様２５）
前記工具の前記販売業者が、前記工具の転売業者を含む、実施態様２４に記載の方法。
（実施態様２６）
実施態様１７に記載の方法を含み、作業中に好ましい方向に回転するように前記工具を切削装置に正しく装着させる目に見える表示を提供するようにして、前記１又は複数の刃溝を構成する、金属製コアのダイヤモンド研削切断工具の安全性を高める方法。
（実施態様２７）
前記１又は複数の刃溝が、前記工具の製品供給元に関連した目じるしとして構成されている、実施態様２６に記載の方法。
（実施態様２８）
実施態様１７に記載の方法を含む、機械的応力を開放させ、且つ工具の製品供給元を表示するための方法。